(57)【特許請求の範囲】
【請求項１】
回動自在に軸支されたガンギ車と、
該ガンギ車より上方にて回動自在に軸支され、支点よりも下方に位置する一端に前記ガンギ車に係合すると共に揺動により前記ガンギ車を回転させる一対の係合部を有し、支点よりも上方に位置する他端に駆動磁石が取り付けられ、重心が支点よりも上方に位置し、前記係合部の一方が前記ガンギ車に係合することにより傾いて回転が停止した状態となるアンクルと、
該アンクルの駆動磁石に磁気作用による力を加えることにより前記アンクルの重心が前記アンクルの支点上を通過するように前記アンクルを回動させて揺動させる駆動装置と、
からなることを特徴とする時計の飾りガンギ装置。
【請求項２】
前記アンクルは、揺動することにより、前記係合部の一方が前記ガンギ車に係合してガンギ車を一定角度回転させて停止することを繰り返して前記ガンギ車を回転させることを特徴とする請求項１記載の時計の飾りガンギ装置。
【発明の詳細な説明】
【０００１】
【発明の属する技術分野】
本発明は、アンクルを直接駆動してガンギ車を回転させる時計の飾りガンギ装置に関するものである。
【０００２】
【従来の技術】
従来のこの種の飾りガンギ装置としては、特開平９−９６６８５号公報に開示されているものがあった。この装置においては、下端に磁石が取り付けられた揺動杆を連結杆を用いてアンクル状の振り子に連結し、揺動杆の揺動により振り子が揺動して、ガンギ車を回転駆動するものであった。
【０００３】
【発明が解決しようとする課題】
上記従来技術における振り子は、その支点よりも下方に重心が位置しており、磁気作用等による力が加わると、振り子が持つ固有振動数により一定の周期で揺動するものとなっている。従って、この振り子により駆動されるガンギ車の回転速度は、振り子の固有振動数で決まることになる。このため、ガンギ車の回転速度を変えるには、振り子の固有振動数を変えることが必要になり、振り子の交換、変更等、部品の交換や設計変更を要するという課題があった。
【０００４】
本発明は、上記従来技術の課題に鑑みなされたもので、固有振動数を持たないアンクルを駆動装置の磁気作用に従って揺動させることにより、ガンギ車の回転速度を自由に変更することができる時計の飾りガンギ装置を提供するものである。
【０００５】
【課題を解決するための手段】
本発明の時計の飾りガンギ装置は、回動自在に軸支されたガンギ車と、該ガンギ車より上方にて回動自在に軸支され、支点よりも下方に位置する一端に前記ガンギ車に係合すると共に揺動により前記ガンギ車を回転させる一対の係合部を有し、支点よりも上方に位置する他端に駆動磁石が取り付けられ、重心が支点よりも上方に位置し、前記係合部の一方が前記ガンギ車に係合することにより傾いて回転が停止した状態となるアンクルと、該アンクルの駆動磁石に磁気作用による力を加えることにより前記アンクルの重心が前記アンクルの支点上を通過するように前記アンクルを回動させて揺動させる駆動装置と、からなるものである。
【０００６】
また、この時計の飾りガンギ装置における前記アンクルは、揺動することにより、前記係合部の一方が前記ガンギ車に係合してガンギ車を一定角度回転させて停止することを繰り返して前記ガンギ車を回転させるものである。
【０００７】
【発明の実施の形態】
本発明の時計の飾りガンギ装置においては、回動自在に軸支されているガンギ車を、重心が支点より上方にあるアンクルの揺動で回転させ、このアンクルを駆動装置の磁気作用と重心の移動で揺動させている。
【０００８】
即ち、ガンギ車にはその外周に多数の切欠部が設けられている。この切欠部にはアンクルの一方の端部に設けられた係合ピンからなる係合部が係合しており、アンクルが揺動することにより、係合部が切欠部の縁の斜面を押圧してガンギ車を回転させる。アンクルの他方の端部には駆動磁石が取り付けられており、またアンクルの重心はその支点よりも上方に設定されている。このため、アンクルには、その重心が支点よりも下へ行こうとする重力による回転力が働き、係合部がガンギ車に係止することによりその回転が止められている。一方、駆動装置は、その磁気作用による力でアンクル駆動磁石を移動させて、アンクルの重心がその支点上を通過するようにアンクルを回転させる。このようにアンクルは、駆動装置の磁気作用により重心が支点を通過しなければ回転することはできない。またアンクルは、磁気作用が停止してもその重心が支点を越えることにより回転を続け、このときに係合部がガンギ車の切欠部に係合してガンギ車を一定角度回転させて係止すると停止する。
【０００９】
上記のように、アンクルは、その重心が支点よりも上方にあるため、自らその固有振動数で揺動することはなく、駆動装置により重心が支点上を通過させられたときのみ回動するので、その揺動周期を駆動装置の磁気作用で制御することができる。
【００１０】
【実施例】
図１は本発明の一実施例に係る飾りガンギ装置を示す正面図であり、図２はその断面図である。この図１及び図２において、２はガンギ車であり、基板４とこれに対向する受板６により回動自在に軸支されている。このガンギ車２の外周には、多数の切欠部２ａが形成されており、後述するアンクルと係合することによりガンギ車が一定方向に回転するように形成されている。尚、この切欠部２ａの詳細な形状等に関しては後述する。
【００１１】
１４はアンクルであり、基板４と受板６により回動自在に軸支されている。本実施例におけるアンクル１４は略Ｙ字形状をなし、その二股に分かれている一方の端部には軸方向に立設された係合ピンからなる係合部１４ａ、１４ｂが形成されており、また、他方の端部には駆動磁石１４ｃが固着されている。このアンクル１４は、その支軸１４ｄより上方に重心Ｇが位置するように設定されており、このような重心位置となるアンクル１４の姿勢は、ガンギ車２の切欠部２ａに係合部１４ａ又は１４ｂが係止することにより保持される。
【００１２】
１６はアンクル１４を揺動させる駆動装置である。この駆動装置１６は、アンクル１４の駆動磁石１４ｃと対向する面２０ａが駆動磁石１４ｃの対向面１４ｅの極と反対の極になるように設定されたコイル２０と、コイル２０に１秒周期、２秒周期等の設定された周期で数十ｍｓｅｃの短い時間電流を供給する駆動回路２２と、から構成されている。本実施例における駆動装置１６は、そのコイル２０がアンクル１４の重心Ｇが支軸１４ｄの真上に来たときに駆動磁石１４ｃと中心が一致するように、基板４の背面側に突出するボス４ａに固定されている。尚、本実施例においては、基板４を遮蔽板として使用し、その背後に駆動装置１６を隠して前方から見えないようにしている。
【００１３】
また、上記構成からなる時計の飾りガンギ装置におけるガンギ車２とアンクル１４との係合状態は図３に示すように設定されている。ガンギ車２の切欠部２ａは、回転方向に反して傾斜する斜面２ｂが縁部分に形成されており、また、アンクル１４の係合部１４ａ、１４ｂに適合するように底部２ｃがＵ字形に形成されている。アンクル１４の係合部１４ａ、１４ｂは、アンクル１４が揺動することにより切欠部２ａの斜面２ｂに係合し、斜面２ｂをその面に沿って押圧してガンギ車２を回転させ、その後、切欠部２ａの底部２ｃに収まるように構成されている。
【００１４】
次に、上記構成からなる時計の飾りガンギ装置の動作を説明する。はじめに、アンクル１４は、その重心Ｇが支軸１４ｄの上に位置するように設定されているため、コイル２０に通電されていない停止状態において、重心Ｇが支軸１４ｄより下へ行こうとする重力による回転力により、左又は右方に傾いている。このため、駆動磁石１４ｃは、例えば図３に示すように、コイル２０の中心からずれた所に位置して停止している。このときにアンクル１４の係合部１４ａ、１４ｂは、その一方がガンギ車２の切欠部２ａの底部２ｃに係止してアンクル１４の回転を停止させており、他方が切欠部２ａから離れたところに位置することになる。
【００１５】
上記のような停止状態にあるときに、駆動回路２２からコイル２０に電流が流れるとコイル２０が励磁される。このときに、このコイル２０の面２０ａがＳ極になるように設定されていると、図３に示す状態にあるアンクル１４は、その対向面１４ｅがＮ極に設定された駆動磁石１４ｃがコイル２０の面２０ａに吸引されることにより、図３中時計方向に回転する。このコイル２０への通電は、前述したように、わずかな時間であり、少なくともアンクル１４の重心Ｇが支軸１４ｄ上を通過するときにはコイル２０による駆動磁石１４ｃの吸引は停止している。その後は、慣性によりアンクル１４が回転し、更にその重心Ｇが支軸１４ｄより図３中右上にあることによる重力によりアンクル１４が回転を続けることになる。このときに、アンクル１４の係合部１４ｂがガンギ車２の切欠部２ａの斜面２ｂに当接し、斜面２ｂに沿って押圧してガンギ車２を図３中時計方向へ回転させる。そして、ガンギ車２を１ピッチ回転させると、係合部１４ｂは切欠部２ａの底部２ｃに係止しアンクル１４の回転を停止させる。尚、このときにアンクル１４の係合部１４ａは、ガンギ車２の切欠部２ａから外れることになる。
【００１６】
その後、再びコイル２０に電流が供給されると、アンクル１４の駆動磁石１４ｃは、再びコイル２０に吸引される。このため、アンクル１４は図３中反時計方向へ回転し、今度は係合部１４ａがガンギ車２の切欠部２ａの斜面２ｂをその面に沿って押圧してガンギ車２を時計方向へ回転させる。このアンクル１４の回転も、前述した動作と同様に重心Ｇが支軸１４ｄ上を通過すると慣性及び重心Ｇの移動による重力で続けられ、係合部１４ａが切欠部２ａの底部２ｃに係止するとアンクル１４の回転は停止される。
【００１７】
上記のようにアンクル１４が間欠的に揺動することにより、ガンギ車２は回転され、コイル２０に供給する電流の供給周期を変えるだけでガンギ車２の回転速度を変えることが可能となる。
【００１８】
【発明の効果】
本発明によれば、アンクルの重心をその支点よりも上方に設定しているので、アンクルが一定の固有振動数で揺動することがなく、必ず駆動回路の磁気作用に応じて揺動することになる。従って、駆動回路の磁気作用の周期を変更するだけで、アンクルの揺動周期を変更することができ、部品交換等をすることなく、ガンギ車の回転速度を自由に設定することができる。
【００１９】
また、アンクルの重心をその支点より上方に位置付けるように停止時におけるアンクルの姿勢を保つことが必要となるが、本発明においては、アンクルの係合部がガンギ車の切欠部に係止することによりアンクルの停止時における姿勢を保持させているので、ストッパー等を設けてアンクルの姿勢を保持する必要がない。
【００２０】
更に、アンクルと駆動装置とを機械的に連結する必要がないので、駆動装置の配置の自由度が高く、また駆動装置を完全に隠してしまうこともでき、アンクルやガンギ車がどのように駆動されているのか、動作の不思議さにより興味を惹くことができ、面白味を増すこともできる。
【図面の簡単な説明】
【図１】本発明の一実施例に係る時計の飾りガンギ装置を示す正面図である。
【図２】図１に示す時計の飾りガンギの断面図である。
【図３】図１に示すガンギ車とアンクルとの係合状態を示す拡大図である。
【符号の説明】
２                ガンギ車
２ａ              切欠部
２ｂ              斜面
２ｃ              底部
１４              アンクル
１４ａ、１４ｂ    係合部
１４ｃ            駆動磁石
１４ｄ            支軸
１６              駆動装置
２０              コイル
Ｇ                重心
【図１】
0003612678.tif 000002
【図２】
0003612678.tif 000003
【図３】
0003612678.tif 000004